(57)【特許請求の範囲】
【請求項１】
屋内側壁と屋外側壁と底板とが溝形に形成され、この溝形の両端部に軒樋接続部と、この両端部の軒樋接続部の間にほぼ直角に折曲された曲がり部とが設けられ、この曲がり部には入隅側縁から出隅方向に切り欠かれた切欠部と、この切欠部の縁部に沿って立てられた立壁とが設けられた曲がり継手において、
前記軒樋接続部は内周面が軒樋の外周面に当接される形状になされると共に底板が平坦になされ、一方、前記曲がり部近傍では底板が軒樋の底板より下方向に突出した状態に湾曲されていることを特徴とする曲がり継手。
【発明の詳細な説明】
【０００１】
【発明の属する技術分野】
本発明は曲がり継手に関する。
【０００２】
【従来の技術】
一般に、屋根に降った雨水を受けるために、屋根の下方には屋内側壁と屋外側壁と底板とが溝形に形成された軒樋が取り付けられている。従って、この屋根の出隅部や入隅部等では軒樋をほぼ直角に折曲させる必要がある。かかる場所には、通常、実開平１−８３８３３号公報に記載あるような曲がり継手が取り付けられる。
【０００３】
この曲がり継手は、屋内側壁と屋外側壁と底板とが溝形に形成され、この溝形の両端部に軒樋接続部と、この両端部の軒樋接続部の間にほぼ直角に折曲された曲がり部とが設けられていて、この両端部に設けられた軒樋接続部に軒樋を接続する。すると、軒樋がほぼ直角に取り付けられるのである。しかし、このような曲がり継手で軒樋を接続していると、夏冬の温度差等によって、軒樋が膨張収縮を繰り返し、この膨張収縮の圧力が曲がり継手の曲がり部に集中して、この曲がり部にクラックが入ったり、曲がり部が折れたりすることがある。
【０００４】
かかる問題を解決するために、実開昭５８−１４７４０号公報、実開昭５９−１９６６２３号公報、実開平３−１１７０３５号公報に記載あるように、曲がり部の入隅側縁から出隅方向に切り欠かれた切欠部と、この切欠部の縁部に沿って立設された立壁とが設けられている曲がり継手が知られている。この曲がり継手は、夏冬の温度差等で軒樋が膨張収縮すると、切欠部の切り欠かれて残った部分が細く、変形し易くなっているので、この残った部分が曲がって、軒樋の膨張収縮を吸収するのである。
【０００５】
【発明が解決しようとする課題】
しかし、夏冬の温度差等で度々膨張収縮を繰り返していると、この切欠部の切り欠かれて残った部分のみが度々変形される結果、この残った部分が疲労してひびが入ったり、割れて雨水が漏れるという問題が発生する。
そこで、本発明の目的は、曲がり部の入隅側縁から出隅方向に切り欠かれた切欠部と、この切欠部の縁部に沿って立てられた立壁とが設けられている曲がり継手であって、夏冬の温度差等で軒樋が膨張収縮を繰り返しても切り欠かれて残った部分にひびが入らないし、折れたりしない曲がり継手を提供することである。
【０００６】
【課題を解決するための手段】
本発明は上記目的を達成するためになしたものであって、屋内側壁と屋外側壁と底板とが溝形に形成され、この溝形の両端部に軒樋接続部と、この両端部の軒樋接続部の間にほぼ直角に折曲された曲がり部とが設けられ、この曲がり部には入隅側縁から出隅方向に切り欠かれた切欠部と、この切欠部の縁部に沿って立てられた立壁とが設けられた曲がり継手において、前記軒樋接続部は内周面が軒樋の外周面に当接される形状になされると共に底板が平坦になされ、一方、前記曲がり部近傍では底板が軒樋の底板より下方向に突出した状態に湾曲されているものである。
【０００７】
（作用）
本発明では、軒樋接続部は内周面が軒樋の外周面に当接される形状になされているから、この軒樋接続部の中に軒樋の端部を入れ、軒樋の外周面を軒樋接続部の内周面に当接させて接続することができる。
【０００８】
又、上記のようして軒樋接続部に軒樋を接続して使用していると、夏冬等の温度差によって軒樋が膨張収縮を繰り返し、この膨張収縮の圧力が曲がり部に集中する。しかし、本発明では、曲がり部近傍では底板が軒樋の底板より下方向に湾曲されているから、この底板に両側から押したり伸ばしたりする力が加わると、簡単に、この湾曲した底板の曲率が大きくなったり小さくなったりし易い形状になっている。従って、軒樋が膨張収縮の圧力が加わると、この曲がり部近傍の下方に湾曲している部分全体が無理なく変形する。このように、一部分のみが変形せず全体が変形するので、この曲がり部にひびが入ることがないし割れることがない。
【０００９】
【発明の実施の形態】
次に、本発明の実施例を説明する。
図１〜図３は本発明曲がり継手の一実施例を示すもので、図１（イ）は曲がり継手の平面を示す説明図、（ロ）は（イ）のＡ−Ａ線における断面を示す説明図、（ハ）は（イ）のＢ−Ｂ線における断面を示す説明図、図２（イ）は曲がり継手の使用状態を示す説明図、（ロ）は（イ）のＣ部分の主要部を示す説明図、（ハ）は（ロ）の平面を示す説明図、図３（イ）は軒樋が膨張したときの曲がり継手の曲がり部近傍の変形の状態を示す説明図、（ロ）は軒樋が収縮したときの曲がり継手の曲がり部近傍の変形の状態を示す説明図である。
【００１０】
図１〜図３において、１は建物であり、１１は建物１の取り付けられた寄せ棟からなる屋根である。２は屋根１１の下方に取り付けられた軒樋であり、この軒樋２は、屋外側壁２１と、屋内側壁２２と、底板２３とからなり、屋外側壁２１の上端には屋外側耳２４が設けられ、屋内側壁２２の上端には屋内側耳２５が設けられている。この軒樋２は軒先に取り付けられた軒樋吊り具３で吊り下げられている。
【００１１】
４は出隅部の軒樋２を接続する出隅用の曲がり継手であり、この曲がり継手４は、図１に示すように、軒樋接続部５と曲がり部６とからなる。軒樋接続部５は曲がり継手４の両端部に設けられていて、軒樋２の外周面に当接する形状をしている。即ち、この軒樋接続部５は軒樋２の屋外側壁２１に当接する屋外壁５１と、軒樋２の屋内側壁２２に当接する屋内壁５２と、軒樋の底板２３に当接する底板５３とからなる。更に、屋外壁５１の上端には軒樋２の屋外側耳２４に嵌合する屋外側耳保持部５４と、屋内壁５２の上端には軒樋２の屋内側耳２５に嵌合する屋内側耳保持部５５とが設けられている。そして、底板５３は、図１（ロ）に示すように、ほぼ平らな板状体である。
【００１２】
曲がり部６は両端部に設けられた軒樋接続部５の間に設けられていて、この曲がり部６近傍には、軒樋接続部５の屋外壁５１が延長された屋外壁６１と、屋内壁５２が延長された屋内壁６２と、底板５３が延長された底板６３と、屋外側耳保持部５４が延長された屋外側耳保持部６４とからなる。そして、底板６３は、図１（ハ）に示すように、下方に突出した状態に湾曲している。
【００１３】
従って、曲がり部６近傍では底板６３が軒樋２や軒樋接続部５の底面２３、５３より下方向に湾曲されているから、この底板６３に両側から押したり伸ばす力が加わると、簡単に、この湾曲した底板６３の曲率が大きくなったり小さくなったりし易い形状になっている。そして、この曲がり部６には入隅側縁から出隅方向に切り欠かれた切欠部７と、この切欠部７の縁部に沿って立てられた立壁８が設けられている。
【００１４】
次に、この曲がり継手の使用方法および作用について説明する。
軒先に軒樋吊り具３を取り付け、この軒樋吊り具３に軒樋２を取り付ける。軒樋２の出隅部に曲がり継手４を取り付ける。
【００１５】
この軒樋２に曲がり継手４を取り付ける方法について詳細に説明する。
軒樋２の接続端部の外周面と、軒樋接続部５の内周面とに接着剤を塗布し、軒樋接続部５の中に軒樋２の端部を入れ、軒樋２の屋外側壁２１、屋内側壁２２、底板２３をそれぞれ軒樋接続部５の屋外側壁５１、屋内側壁５２、底壁５３にそれぞれ沿わし、屋外側耳２４を屋外側耳保持部５４に、屋内側耳２５を屋内側耳保持部５５に嵌合して、軒樋２の外周面を軒樋接続部５の内周面に当接させて接続する。
【００１６】
このようして軒樋接続部５に軒樋２を接続して使用していると、夏冬等の温度差によって軒樋２が膨張収縮を繰り返し、この膨張収縮の圧力が加わる。即ち、夏期、軒樋２が膨張すると、軒樋２の屋外側耳２４は軒樋吊り具３にしっかりと係止され、屋内側耳２５は軒樋吊り具３の屋内側耳保持部の上に載っているだけであるから滑って、図２（ハ）の点線で示すように、軒樋吊り具３が出隅方向に傾き、曲がり継手４の曲がり部６を両側から押し出すようになる。
【００１７】
すると、切欠部７の開口が狭まり、図３（イ）に示すように、曲がり部６近傍の屋内壁６２より多く押し出され、屋外壁６１が引っ張られるが、湾曲した底板６３の曲率が大きくなるので、どこにも無理な力が入らず、従って、ひび割れが発生しない。又、冬期、軒樋２が収縮すると、反対に、図２（ハ）の点線で示すように、軒樋吊り具３が出隅から遠ざかる方向に傾き、曲がり継手４の曲がり部６が両側から引っ張られるようになる。
【００１８】
すると、切欠部７の開口が拡がり、図３（ロ）に示すように、曲がり部６近傍の屋内壁６２より多く引っ張られ、屋外壁６１が押し出されるが、湾曲した底板６３の曲率が少なくなり平板に近く伸びるので、どこにも無理な力が入らず、従って、ひび割れが発生しない。
【００１９】
このように、曲がり部６近傍では底板６３が軒樋２や軒樋接続部５の底面２３、５３より下方向に湾曲されていて、この底板６３に両側から押したり伸ばす力が加わるとこの湾曲部分が更に湾曲したり伸びたりし易くなっているから、軒樋が膨張収縮の圧力が加わると、この曲がり部６近傍の下方に湾曲している部分全体が無理なく変形する。このように、一部分のみが変形せず全体が変形するので、この曲がり部６にひびが入ることがないし割れることがない。
【００２０】
【発明の効果】
本発明では、軒樋接続部は内周面が軒樋の外周面に当接される形状になされると共に底板が平坦になされているから、軒樋の外周面を軒樋接続部の内周面に当接させて接続することができる。又、本発明では、曲がり部近傍では底板が軒樋の底板より下方向に湾曲されているから、軒樋が膨張収縮すると、この曲がり部近傍の下方に湾曲している部分全体が無理なく変形するので、この曲がり部にひびが入ることがないし割れることがなく、従って、長期間使用できるので安心である。
【図面の簡単な説明】
【図１】  本発明曲がり継手の一実施例を示すもので、（イ）は曲がり継手の平面を示す説明図、（ロ）は（イ）のＡ−Ａ線における断面を示す説明図、（ハ）は（イ）のＢ−Ｂ線における断面を示す説明図である。
【図２】  （イ）は曲がり継手の使用状態を示す説明図、（ロ）は（イ）のＣ部分の主要部を示す説明図、（ハ）は（ロ）の平面を示す説明図である。
【図３】  （イ）は軒樋が膨張したときの曲がり継手の曲がり部近傍の変形の状態を示す説明図、（ロ）は軒樋が収縮したときの曲がり継手の曲がり部近傍の変形の状態を示す説明図である。
【符号の説明】
１  建物
１１  屋根
２  軒樋
３  軒樋吊り具
４  曲がり継手
５  軒樋接続部
６  曲がり部
７  切欠部
８  立壁
【図１】
0003838728.tif 000002
【図２】
0003838728.tif 000003
【図３】
0003838728.tif 000004